(57)【要約】【課題】  防水性に優れた低コストのレンズ組立体およびレンズ防水処理方法を提供することを目的とする。【解決手段】  隣接する単レンズ１１，１２どうしが接するように複数の単レンズが内部に配置され、これら単レンズどうしの接触部分１３を取り巻く内部空間１４が形成されるとともに該内部空間１４と外部とをつなぐ複数の孔１５が形成されたレンズ枠１６内に複数の単レンズを相互に接触するように配置し、上記複数の孔１５のうちの１つ以上から、防水ゴム１７を注入して内部空間１４を防水ゴム１８で充填する。【選択図】        図３
2006343668.tif 000002
【特許請求の範囲】
【請求項１】
レンズが内部に配置され、該レンズの周囲を取り巻く内部空間が形成されるとともに該内部空間と外部とをつなぐ複数の孔が形成されたレンズ枠内にレンズを配置し、
前記複数の孔のうちの１つ以上から、液状であって凝固性の防水材料を注入して該内部空間を防水材料で充填することを特徴とするレンズ防水処理方法。
【請求項２】
前記レンズは、隣接する単レンズどうしが接するように配置された複数の単レンズからなり、前記内部空間が、前記単レンズどうしの接触部分を取り巻くように形成されたものであることを特徴とする請求項１記載のレンズ防水処理方法。
【請求項３】
レンズが内部に配置され、該レンズの周囲を取り巻く内部空間が形成されるレンズ枠と、
前記レンズ枠内に配置されたレンズと、
前記内部空間に充填された防水材料とを有することを特徴とするレンズ組立体。
【請求項４】
前記レンズは、隣接する単レンズどうしが接するように配置された複数の単レンズからなり、前記内部空間が、前記単レンズどうしの接触部分を取り巻くように形成されたものであることを特徴とする請求項３記載のレンズ組立体。
【発明の詳細な説明】
【技術分野】
【０００１】
本発明は、レンズを防水処理する方法および防水処理されたレンズ組立体に関する。
【背景技術】
【０００２】
従来、カメラやランプなどに用いられるレンズの防水処理について種々の工夫がなされている。例えば複数の発光ダイオードを基板上に取り付けた発光部と、透明レンズと、全体を覆う防水ケースとを備えた発光ダイオード表示器において、透明レンズと防水ケースをを同一の樹脂により一体成形した発光ダイオード表示器が開示されている（例えば、特許文献１参照。）。
【０００３】
また、Ｏリングやパッキングを用いてレンズを防水処理する方法も広く採用されており、例えば、ＬＥＤなどの発光表示体レンズの取付構造において、レンズとケースの間の隙間の部分にパッキングを取り付けることができるように、レンズに環状溝を設けて成形し、その環状溝にパッキングを挿入しケースの外側からレンズを圧入して取り付けるようにした発光表示体レンズの取付構造が開示されている（例えば、特許文献２参照。）。
【特許文献１】実開昭６３−８９２６７号公報（第２−５頁、図３〜３）
【特許文献２】特開平６−２６７３１７号公報（第１−３頁、図３，２）
【発明の開示】
【発明が解決しようとする課題】
【０００４】
しかし、上記特許文献１に開示されたような一体成形方式では、発光ダイオード表示器のレンズのように単レンズの場合には比較的容易に防水ケースと透明レンズとを同一の樹脂で一体成形することができるが、複数の単レンズで構成されたレンズの場合には、単レンズどうしの接触部分を防水処理することができないという問題がある。
【０００５】
また上記特許文献２に開示されたような、Ｏリングやパッキングなどを用いたレンズ防水方式では、Ｏリングやパッキングの公差によりレンズとケースとの完全密封が保てない場合が生じるという問題があり、また温度などの使用条件によってパッキングの密封状態が変化するという問題がある。
【０００６】
本発明は、上記事情に鑑み、防水性に優れた低コストのレンズ組立体およびレンズ防水処理方法を提供することを目的とする。
【課題を解決するための手段】
【０００７】
上記課題を解決する本発明のレンズ防水処理方法は、
レンズが内部に配置され、該レンズの周囲を取り巻く内部空間が形成されるとともに該内部空間と外部とをつなぐ複数の孔が形成されたレンズ枠内にレンズを配置し、
上記複数の孔のうちの１つ以上から、液状であって凝固性の防水材料を注入して該内部空間を防水材料で充填することを特徴とする。
【０００８】
本発明のレンズ防水処理方法によれば、簡単な操作で内部空間に防水材料を充填することができるので、低コストで防水性に優れたレンズ防水処理を行うことができる。
【０００９】
ここで、上記レンズは、隣接する単レンズどうしが接するように配置された複数の単レンズからなり、上記内部空間が、上記単レンズどうしの接触部分を取り巻くように形成されたものであってもよい。
【００１０】
本発明のレンズ防水処理方法を上記のように構成した場合は、複数の単レンズからなるレンズの場合にも、簡単な操作で内部空間に防水材料を充填することができるので、低コストで防水性に優れたレンズ防水処理を行うことができる。
【００１１】
また、上記課題を解決する本発明のレンズ組立体は、
レンズが内部に配置され、該レンズの周囲を取り巻く内部空間が形成されるレンズ枠と、
上記レンズ枠内に配置されたレンズと、
上記内部空間に充填された防水材料とを有することを特徴とする。
【００１２】
本発明のレンズ組立体によれば、レンズ枠内に形成された上記内部空間に防水材料が充填されているので、防水性に優れたレンズ組立体を低コストで得ることができる。
【００１３】
ここで、上記レンズは、隣接する単レンズどうしが接するように配置された複数の単レンズからなり、上記内部空間が、上記単レンズどうしの接触部分を取り巻くように形成されたものであってもよい。
【００１４】
本発明のレンズ組立体を上記のように構成した場合は、複数の単レンズからなるレンズの場合にも、防水性に優れたレンズ組立体を低コストで得ることができる。
【発明の効果】
【００１５】
以上説明したように、本発明によれば、防水性に優れた低コストのレンズ組立体およびレンズ防水処理方法を実現することができる。
【発明を実施するための最良の形態】
【００１６】
以下図面を参照して本発明のレンズ防水処理方法およびレンズ組立体の実施の形態を説明する。
【００１７】
先ず、本発明の第１の実施形態について説明する。
【００１８】
図１は、本発明の第１の実施形態におけるレンズ防水処理方法の第１の工程を示す図である。
【００１９】
このレンズ防水処理方法の第１の工程では、図１に示すように、レンズ１が内部に配置されるレンズ枠６を用意する。このレンズ枠６にはレンズ１の周囲を取り巻く内部空間４が形成されるとともに該内部空間４と外部とをつなぐ複数の孔５が形成されている。この内部空間４は、従来、Ｏリングやパッキングが挿入されていた溝の部分に相当する。
【００２０】
このようなレンズ枠６内にレンズ１を配置する。
【００２１】
図２は、本発明の第１の実施形態におけるレンズ防水処理方法の第２の工程およびレンズ組立体を示す図である。
【００２２】
第２の工程では、図２に示すように、レンズ枠６に形成された複数の孔５のうちの１つ以上から、防水ゴム７を注入して内部空間４を防水ゴム７で充填する。ここで、複数の孔５のうちのいくつかから防水ゴム７を注入する際に、残りの孔のうちのいくつかを空気抜き用の孔として用いるようにすることが好ましい。
【００２３】
なお、この実施形態における防水ゴム７は、本発明のレンズ防水処理方法にいう、液状であって凝固性の防水材料に相当するものである。この防水材料は防水ゴムのみに限られるものではなく液状であって凝固性であればどのような防水材料であってもよい。
【００２４】
こうして、内部空間４に充填され凝固した防水ゴム８によってレンズの防水処理が完了し、その結果として本発明のレンズ組立体が形成される。
【００２５】
図２に示すように、こうして形成されたレンズ組立体１０は、レンズ１が内部に配置され、該レンズ１の周囲を取り巻く内部空間４が形成されるレンズ枠６と、上記レンズ枠６内に配置されたレンズ１と、内部空間４に充填されて凝固した防水ゴム８とを有している。
【００２６】
なお、この実施形態における防水ゴム８は、本発明のレンズ組立体にいう、液状であって凝固性の防水材料に相当するものである。この防水材料は防水ゴムのみに限られるものではなく液状であって凝固性を有するものであればどのような防水材料であってもよい。
【００２７】
次に、本発明の第２の実施形態について説明する。この第２の実施形態は、レンズが、隣接する単レンズどうしが接するように配置された複数の単レンズから構成されたレンズであり、レンズとレンズ枠との間の内部空間が、上記単レンズどうしの接触部分を取り巻くように形成されたものである場合の実施形態である。
【００２８】
図３は、本発明の第２の実施形態におけるレンズ防水処理方法の第１の工程を示す図である。
【００２９】
このレンズ防水処理方法の第１の工程では、図３に示すように、隣接する単レンズどうしが接するように単レンズ１１，１２が内部に配置されるレンズ枠１６を用意する。このレンズ枠１６には単レンズ１１，１２どうしの接触部分を取り巻く内部空間１４が形成されるとともに該内部空間１４と外部とをつなぐ複数の孔１５が形成されている。この内部空間１４は、従来、Ｏリングやパッキングが挿入されていた溝の部分に相当する。
【００３０】
このようなレンズ枠１６内に単レンズ１１，１２を相互に接触するように配置する。
【００３１】
図４は、本発明の第２の実施形態におけるレンズ防水処理方法の第２の工程およびレンズ組立体を示す図である。
【００３２】
第２の工程では、図４に示すように、レンズ枠１６に形成された複数の孔１５のうちの１つ以上から、防水ゴム１７を注入して内部空間１４を防水ゴム１７で充填する。ここで、複数の孔１５のうちのいくつかから防水ゴム１７を注入する際に、残りの孔のうちのいくつかを空気抜き用の孔として用いるようにすることが好ましい。
【００３３】
なお、この実施形態における防水ゴム１７は、本発明のレンズ防水処理方法にいう、液状であって凝固性の防水材料に相当するものである。この防水材料は防水ゴムのみに限られるものではなく液状であって凝固性であればどのような防水材料であってもよい。
【００３４】
こうして、内部空間１４に充填され凝固した防水ゴム１８によってレンズの防水処理が完了し、その結果として本発明のレンズ組立体が形成される。
【００３５】
図４に示すように、こうして形成されたレンズ組立体２０は、隣接する単レンズ１１，１２どうしが接するように複数の単レンズが内部に配置される、これら単レンズどうしの接触部分１３を取り巻く内部空間１４が形成されるレンズ枠１６と、上記レンズ枠１６内に相互に接触するように配置された単レンズ１１，１２と、内部空間１４に充填されて凝固した防水ゴム１８とを有している。
【００３６】
なお、この実施形態における防水ゴム１８は、本発明のレンズ組立体にいう、液状であって凝固性の防水材料に相当するものである。この防水材料は防水ゴムのみに限られるものではなく液状であって凝固性を有するものであればどのような防水材料であってもよい。
【００３７】
以上説明したように、本発明は、レンズが、１枚の単レンズで構成されたものである場合にも、複数の単レンズから構成されたものである場合にも優れた防水性を有するレンズ組立体を実現することができる。
【００３８】
図５は、本発明のレンズ組立体の用途の一例を示す図である。
【００３９】
図５には、本発明のレンズ組立体を自動車の後方監視カメラとして使用した例が示されている。すなわち、自動車３０の後部バンパ３１にカメラ３２を取り付けておき、後進ギヤ操作が行われた際に、このカメラ３２で撮影した映像を運転席などに設置されたモニタ画面（図示せず）上に表示させることにより、運転者は容易に後方確認を行うことができる。
【００４０】
本発明のレンズ組立体は防水性に優れておりかつ低コストで製造することができるので、例えば上記の自動車の後方監視カメラのレンズとしてだけではなく、広く一般の用途に好適に使用することができる。
【図面の簡単な説明】
【００４１】
【図１】本発明の第１の実施形態におけるレンズ防水処理方法の第１の工程を示す図である。
【図２】本発明の第１の実施形態におけるレンズ防水処理方法の第２の工程およびレンズ組立体を示す図である。
【図３】本発明の第２の実施形態におけるレンズ防水処理方法の第１の工程を示す図である。
【図４】本発明の第２の実施形態におけるレンズ防水処理方法の第２の工程およびレンズ組立体を示す図である。
【図５】本発明のレンズ組立体の用途の一例を示す図である。
【符号の説明】
【００４２】
１    レンズ
４    内部空間
５    孔
６    レンズ枠
７、８    防水ゴム
１０    レンズ組立体
１１，１２    単レンズ
１３    接触部分
１４    内部空間
１５    孔
１６    レンズ枠
１７、１８    防水ゴム
２０    レンズ組立体
３０    自動車
３１    後部バンパ
３２    カメラ
【図１】
2006343668.tif 000003
【図２】
2006343668.tif 000004
【図３】
2006343668.tif 000005
【図４】
2006343668.tif 000006
【図５】
2006343668.tif 000007